(57)【要約】      （修正有）【課題】商品陳列置台に取付けて使用する告知広告具の提供。【解決手段】略水平のベース部１の前端部に設けた略垂直に起立する前側衝立板３または前側衝立板３に固定のジョイント部５に回動支持部１２を設け、回動支持部１２に、前側衝立板３またはジョイント部５の前側に設ける広告告知部１０の基部の告知部取付部１１を、着脱自在且つ回動自在に取付ける。告知部取付部１１と回動支持部１２は、何れか一方を溝形状に形成し、何れか他方を突起形状に形成し、側方から嵌合させて取付ける。告知部取付部１１と回動支持部１２の何れか一方の溝１３は円形状に形成し、何れか他方の突起は外周に円弧部１５を設けて形成する。【選択図】図１
0003104776.tif 000002
【実用新案登録請求の範囲】
【請求項１】
略水平のベース部１の前端部に設けた略垂直に起立する前側衝立板３または前側衝立板３に固定のジョイント部５に回動支持部１２を設け、該回動支持部１２に、前記前側衝立板３またはジョイント部５の前側に設ける広告告知部１０の基部の告知部取付部１１を、着脱自在且つ回動自在に取付けた告知広告具。
【請求項２】
請求項１において、前記告知部取付部１１と前記回動支持部１２は、何れか一方を溝形状に形成し、何れか他方を突起形状に形成し、側方から嵌合させて取付けるように形成した告知広告具。
【請求項３】
請求項１または請求項２において、前記告知部取付部１１と前記回動支持部１２の何れか一方の溝１３は円形状に形成し、何れか他方の突起１４は外周に円弧部１５を設けて形成した告知広告具。
【請求項４】
請求項１または請求項２において、前記告知部取付部１１と前記回動支持部１２の何れか一方の溝１３は角形状に形成し、何れか他方の突起１４は外周を前記溝１３に合わせた多角形状に形成し、溝１３と突起１４を互いに摺動させて嵌合させ、且つ、嵌め直して前側衝立板３またはジョイント部５に対する広告告知部１０の取付角度を変更するように構成した告知広告具。
【請求項５】
請求項１または請求項２または請求項３または請求項４において、前記広告告知部１０は、告知部取付部１１の前側に平板形状の縦板部２５を設け、該縦板部２５に広告パーツ２２を取付け可能にして構成した告知広告具。
【請求項６】
請求項１または請求項２または請求項３または請求項４において、前記広告告知部１０は、告知部取付部１１の前側に平板形状の縦板部２５を設け、該縦板部２５に広告パーツ２２を取付け可能に構成すると共に、前記縦板部２５の上下両端に側面視円弧形状に突き出る円弧部２６を設け、該円弧部２６は透明部材により形成した告知広告具。
【請求項７】
請求項１または請求項２または請求項３または請求項４において、前記広告告知部１０は、告知部取付部１１の前側に平板形状の縦板部２５を設け、該縦板部２５に側面視Ｕ型形状となる載置部２７を設け、前記縦板部２５または載置部２７に広告パーツ２２を取付け可能に構成した告知広告具。
【考案の詳細な説明】
【技術分野】
【０００１】
本考案は、商品を載置して展示する商品陳列置台に取付けて使用する告知広告具に関するものである。
【背景技術】
【０００２】
従来、略水平のベース部の前端部に設けた略垂直に起立する前側衝立板に、前方に突き出るように広告告知部を設けた告知広告具は、公知である（実用新案登録文献１参照）。
【特許文献１】特開２０００−３１５０５０号公報
【考案の開示】
【考案が解決しようとする課題】
【０００３】
前記公知例のものは、広告告知部が前側衝立板に固定のため、設置する商品陳列置台の高さによっては見にくく、効果を十分に発揮できないという課題がある。
即ち、上下複数段に商品陳列置台を並設している場合、購買者の目線と同じ高さであればよいが、目線より高低何れの場合でも見にくい。
【課題を解決するための手段】
【０００４】
本考案は、略水平のベース部１の前端部に設けた略垂直に起立する前側衝立板３または前側衝立板３に固定のジョイント部５に回動支持部１２を設け、該回動支持部１２に、前記前側衝立板３またはジョイント部５の前側に設ける広告告知部１０の基部の告知部取付部１１を、着脱自在且つ回動自在に取付けた告知広告具としたものである。
本考案は、前記告知部取付部１１と前記回動支持部１２は、何れか一方を溝形状に形成し、何れか他方を突起形状に形成し、側方から嵌合させて取付けるように形成した告知広告具としたものである。
本考案は、前記告知部取付部１１と前記回動支持部１２の何れか一方の溝１３は円形状に形成し、何れか他方の突起１４は外周に円弧部１５を設けて形成した告知広告具としたものである。
本考案は、前記告知部取付部１１と前記回動支持部１２の何れか一方の溝１３は角形状に形成し、何れか他方の突起１４は外周を前記溝１３に合わせた多角形状に形成し、溝１３と突起１４を互いに摺動させて嵌合させ、且つ、嵌め直して前側衝立板３またはジョイント部５に対する広告告知部１０の取付角度を変更するように構成した告知広告具としたものである。
本考案は、前記広告告知部１０は、告知部取付部１１の前側に平板形状の縦板部２５を設け、該縦板部２５に広告パーツ２２を取付け可能にして構成した告知広告具としたものである。
本考案は、前記広告告知部１０は、告知部取付部１１の前側に平板形状の縦板部２５を設け、該縦板部２５に広告パーツ２２を取付け可能に構成すると共に、前記縦板部２５の上下両端に側面視円弧形状に突き出る円弧部２６を設け、該円弧部２６は透明部材により形成した告知広告具としたものである。
本考案は、前記広告告知部１０は、告知部取付部１１の前側に平板形状の縦板部２５を設け、該縦板部２５に側面視Ｕ型形状となる載置部２７を設け、前記縦板部２５または載置部２７に広告パーツ２２を取付け可能に構成した告知広告具としたものである。
【考案の効果】
【０００５】
請求項１の考案では、目線より高低何れの場合でも、見やすく、宣伝広告効果が高い。
請求項２の考案では、特別な取付部材を使用しないので、コストを低くでき、特に、合成樹脂により形成するときは、告知部取付部１１および回動支持部１２の何れも一体成形で形成でき、製造が頗る容易となり、コスト削減効果が高い。
請求項３の考案では、告知部取付部１１と回動支持部１２は嵌合状態で広告告知部１０の角度調節ができ、操作性が高い。
請求項４の考案では、広告告知部１０の荷重を確実に支持し、広告告知部１０の形状の設計の自由度を向上させることができる。
請求項５の考案では、狭いスペースに設置した商品陳列置台２にも使用でき、空間を有効利用できる。
請求項６の考案では、広告告知部１０を一層目立たせ、宣伝広告効果を向上させられる。
請求項７の考案では、載置部２７を兼用できて商品見本等を載置でき、購買者の購買意欲を刺激することができる。
【実施例】
【０００６】
本考案の一実施例を図面により説明すると、１は告知広告具のベース部であり、合成樹脂の押出成形により略水平矩形状に形成し、所定位置に設置した商品陳列置台２上に載置する。ベース部１の前端部には略垂直に起立する前側衝立板３を一体的に形成する。
【０００７】
前記前側衝立板３の前側には、ジョイント部５を着脱自在に取付ける。ジョイント部５は前側衝立板３および前記ベース部１と略同一幅に形成し、下部に前記前側衝立板３に嵌合する嵌合溝６を形成する。
【０００８】
なお、ジョイント部５は前記商品陳列置台２の前端部の止板部７に直接取付けてもよく、そのため、嵌合溝６の前側に止板部７に係合する係合溝８を形成する。また、ジョイント部５および係合溝８を設けないときは、商品陳列置台２の止板部７にベース部１の前側衝立板３を当接させ、告知広告具の落下を防止する。
【０００９】
ジョイント部５の上部には、広告告知部１０の基部の告知部取付部１１を着脱自在且つ回動自在に取付ける回動支持部１２を、設ける。なお、ジョイント部５を省略して、ベース部１の前側衝立板３に回動支持部１２を設けてもよい（図４、図５）。
【００１０】
前記告知部取付部１１と回動支持部１２は、何れか一方を溝形状に形成し、何れか他方を突起形状に形成し、互いに側方から嵌合させて取付ける。
【００１１】
図１〜図６の実施例では、溝１３は円形状に形成し、突起１４は外周に円弧部１５を設けて形成している。
したがって、溝１３と突起１４は互いに回転自在となり、嵌合した状態で回動支持部１２に対して告知部取付部１１を回動させられる。
【００１２】
図７は告知部取付部１１と回動支持部１２の実施例を示し、各実施例は、溝１３および突起１４は互いに嵌合する角形状に形成し、溝１３と突起１４を互いに摺動させて嵌合させて取付け、一旦外して嵌め直すとジョイント部５に対する広告告知部１０の取付角度を変更できる。
【００１３】
しかして、前記広告告知部１０の形状は任意であり、図１〜図６の実施例では前側に告知広告パーツ取付部２０を形成し、告知広告パーツ取付部２０には上下および表裏に夫々一対の挿入溝２１を形成し、挿入溝２１に広告パーツ２２を装着する。
【００１４】
この場合、告知広告パーツ取付部２０の表と裏の両方に広告パーツ２２を装着できるので、種々のバリエーションが可能となる。例えば、閉店間近になって、値引き販売するときは、告知広告パーツ取付部２０の表の広告パーツ２２を引き外し、後側の広告パーツ２２のみ表示するから、価格の切り替えを容易にできる。
【００１５】
また、図８の実施例では、広告告知部１０の告知広告パーツ取付部２０は、告知部取付部１１の前側に平板形状の縦板部２５を設けて形成し、縦板部２５の前面に広告パーツ２２を貼付等の任意の手段により取付ける。したがって、商品陳列置台２の前側に大きく突き出さないので、商品陳列置台２の周囲の空間が狭小であるとき、特に、有効となる。
【００１６】
また、図９の実施例では、広告告知部１０は、告知部取付部１１の前側に平板形状の縦板部２５を設け、縦板部２５の上下両端には側面視円弧形状に突き出る円弧部２６を設け、前記縦板部２５または円弧部２６に広告パーツ２２を取付ける。
【００１７】
この場合、円弧部２６を透明部材により形成し、縦板部２５に広告パーツ２２を装着するように構成すると、広告パーツ２２は円弧部２６を透過して見るようになり、広告パーツ２２の表示に立体感、あるいは、拡大感が生じて、購買者の視覚を刺激できて、好適である。
【００１８】
また、図１０の実施例では、広告告知部１０は、告知部取付部１１を有する縦板部２５の前側に側面視Ｕ型形状となる載置部２７を兼用するように告知広告パーツ取付部２０を形成すると、載置部２７に商品見本等を載置でき、実際に使用体験等ができ、購買者の購買意欲を刺激することができる。
【００１９】
この場合、縦板部２５または載置部２７の前面に広告パーツ２２を装着するように構成する。
【００２０】
また、告知部取付部１１および回動支持部１２の溝１３と突起１４は、夫々互いに嵌合する角形状に形成し、溝１３と突起１４を互いに摺動させて嵌合させて取付け、一旦外して嵌め直してジョイント部５に対する広告告知部１０の取付角度を変更するように、構成すると、載置部２７の荷重を確実に支持できて好適である。
【００２１】
次に実施例の作用を述べる。
本願の告知広告具は、種々の利用方法がある。一例として、化粧水のような商品を商品陳列置台２に陳列するときは、商品陳列置台２の上面に載置したベース部１上に数本の商品を陳列し、告知広告パーツ取付部２０の裏の挿入溝２１に広告パーツ２２を装着すると、広告パーツ２２は透明である告知広告パーツ取付部２０を透かして広告パーツ２２を見ることができ、広告パーツ２２が汚れることはなく、耐久性を向上させて使用期間を長くする。
【００２２】
しかして、ジョイント部５の上部には、広告告知部１０の基部の告知部取付部１１を、着脱自在且つ回動自在に取付ける回動支持部１２を設けているから、回動支持部１２（ベース部１）に対して告知部取付部１１を回動させることができ、商品陳列置台２に設置した高さにより購買者の目線に向けて広告告知部１０を対峙させるようにできる。
【００２３】
この場合、告知部取付部１１と回動支持部１２は何れか一方は溝形状に形成し、何れか他方は突起形状に形成し、側方から嵌合させて取付ける構成であるから、蝶番等の特別な部材を使用することなく、告知部取付部１１の告知広告パーツ取付部２０の角度調節ができる。
【００２４】
即ち、図１〜図６の実施例では、溝１３は円形状に形成し、突起１４は外周に円弧部１５を設けて形成しているから、左右幅の長い告知広告具の場合、一々着脱することなく、告知部取付部１１の告知広告パーツ取付部２０の角度調節ができ、操作性を向上させる。
【００２５】
図７の各実施例では、溝１３および突起１４は互いに嵌合する角形状に形成し、溝１３と突起１４を互いに摺動させて嵌合させて取付け、一旦外して嵌め直すとジョイント部５に対する広告告知部１０の取付角度を変更できるように構成しているから、告知部取付部１１の部分に掛かる荷重が大きいときに、強固に補助でき、好適である。
【００２６】
しかして、告知広告具は、図８の実施例のように、広告告知部１０の告知広告パーツ取付部２０を、告知部取付部１１の前側に縦板部２５を設けて平板形状に形成しているから、広告告知部１０が商品陳列置台２の前側に大きく突き出さないので済み、狭い空間に設置した商品陳列置台２に使用でき、空間を有効利用できる。
【００２７】
また、図９の実施例では、広告告知部１０は、告知部取付部１１の前側に平板形状の縦板部２５を設け、縦板部２５の上下両端には側面視円弧形状に突き出る円弧部２６を設けて形成し、円弧部２６を透明部材により形成し、円弧部２６を透過して縦板部２５に設けた広告パーツ２２を見られるから、縦板部２５に設けた広告パーツ２２の表示が、立体的あるいは拡大して見られることになり、購買者の注目・視覚を刺激して、好適である。
【００２８】
また、図１０の実施例では、広告告知部１０は、告知部取付部１１を有する縦板部２５の前側に側面視「コ」の字形状の載置部２７を兼用するように告知広告パーツ取付部２０を形成しているから、載置部２７に商品見本等を載置でき、実際に使用体験等ができ、購買者の購買意欲を刺激することができる。
【００２９】
この場合、告知部取付部１１および回動支持部１２の溝１３と突起１４は、夫々互いに嵌合する角形状に形成し、溝１３と突起１４を互いに摺動させて嵌合させて取付け、一旦外して嵌め直してジョイント部５に対する広告告知部１０の取付角度を変更するように構成しているから、載置部２７の荷重を確実に支持できる。
【図面の簡単な説明】
【００３０】
【図１】告知広告具の側面図。
【図２】同分解断面図。
【図３】広告告知部を下方回動させた側面図。
【図４】第２実施例断面図。
【図５】同分解断面図。
【図６】広告告知部を上方回動させた側面図。
【図７】回動部分の他の実施例断面図。
【図８】広告告知部の他の実施例断面図および分解図。
【図９】広告告知部の他の実施例断面図および分解図。
【図１０】広告告知部の他の実施例断面図および分解図。
【符号の説明】
【００３１】
１…ベース部、２…商品陳列置台、３…前側衝立板、５…ジョイント部、６…嵌合溝、７…止板部、８…係合溝、１０…広告告知部、１１…告知部取付部、１２…回動支持部、１３…溝、１４…突起、１５…円弧部、２０…広告パーツ取付部、２１…挿入溝、２２…広告パーツ、２５…縦板部、２６…円弧部、２７…載置部。
【図１】
0003104776.tif 000003
【図２】
0003104776.tif 000004
【図３】
0003104776.tif 000005
【図４】
0003104776.tif 000006
【図５】
0003104776.tif 000007
【図６】
0003104776.tif 000008
【図７】
0003104776.tif 000009
【図８】
0003104776.tif 000010
【図９】
0003104776.tif 000011
【図１０】
0003104776.tif 000012